(57)【特許請求の範囲】
【請求項１】
プリフォームの射出成形時に、握り部と両側の腕部とを一体形成した一対のコ状形の提げ手を、首部側面の対称位置に形成した張出片による基部の両端に、それぞれの腕部を一体に接続形成して首部の高さよりも長く横長に対設するとともに腕部と基部の接続部を薄肉に形成し、その一対の提げ手をそのまま延伸ブロー成形による薄肉ボトルの首部両側の縦に折り曲げ自在な提げ手としたポリエステル樹脂等の固い熱可塑性樹脂による二軸延伸ボトルであって、
上記基部を首部側面の環状リングから半径方向に幅広に張り出し形成して、基部下面の両側に首部側面とにわたる一対の縦板のブラケットを一体形成し、そのブラケットにより基部の変形及び破損を防止するとともに、提げ手が首部を越えて反対側に折曲位置するのを防止する突起によるストッパを、基部と上記腕部の接続部近傍との間に基部又は腕部のいずれか一方に斜めに突設して設けてなることを特徴とする提げ手を有する二軸延伸ボトル。
【請求項２】
上記ストッパを、ストッパ先端が上記接続部の上部に位置するように、上記ブラケットよりも外側の基部上面に外向きに傾斜して突設してなることを特徴とする請求項１記載の提げ手を有する二軸延伸ボトル。
【請求項３】
上記ストッパを、ストッパ先端が上記ブラケットよりも外側の基部上面と接するように、上記腕部の接続部近傍の上面に内向きに傾斜して突設してなることを特徴とする請求項１記載の提げ手を有する二軸延伸ボトル。
【発明の詳細な説明】
【０００１】
【発明の属する技術分野】
この発明は、ボトルの首部両側に一対のコ状形の提げ手を一体成形した二軸配向ボトルに関するものである。
【０００２】
【発明が解決しようとする課題】
ＰＥＴボトルに代表されるポリエステル樹脂による二軸配向ボトルには、国際公開番号８２−０２３６９に記載されているように、プリフォームの射出成形時に、横長の提げ手を首部の片側に一体成形し、その提げ手を内容物が充填されたボトルの荷重により接続部位から屈曲して、ボトルを吊り持つようにした提げ手付きのボトルがある。
【０００３】
しかしながら、ポリエステル樹脂はポリプロピレン樹脂とは異なって柔軟性に欠けるため、ボトル荷重により都合よく屈曲せず、このためボトルを垂直に提げ持つことができという課題を有する。
このような課題を解決するものとして、ボトルの首部両側の対称位置に張出片による基部を形成し、その基部の一端に握り部と両側の腕部とが一体のコ状形の提げ手を一体に接続成形して、提げ手を首部の高さよりも長く側方に跨設するとともに、腕部と基部との境界を狭窄により薄肉に成形して流動配向させ、その境界から提げ手を上下方向に回動することができるようにしたものがある。
【０００４】
この提げ手付きボトルでは、提げ手が横向きであつても、提げ手を握ってボトルを持ち上げると、ボトル荷重により薄肉の接続部から提げ手が自然に折曲して、腕部が上向きに回動して提げ手の向きが縦に変わり、ボトルを略垂直に提げ持つことができるようになる。また提げ持ったときの荷重は流動配向により強化された接続部に集中するようになるので、基部が未配向の板状であってもある程度の荷重に耐え、３リットルほどのボトルでは荷重により破損し難い。
【０００５】
しかしながら、ボトルを略垂直に提げ持つことが可能とはなっても、薄板状の提げ手が一個であって、しかも使用者の手指が掛かる握り部に十分な厚みが無いとことから、５リットルほどの大型のボトルに採用すると、荷重により握り部が手指に食い込むようになって持ち運びに苦痛を感じるようになり、途中でボトルを抱え持たなければ持ち運びができなくなる、という新たな課題が生ずる。
【０００６】
このような課題は、握り部と両側の腕部とを一体形成した一対のコ状形の提げ手を、首部側面の対称位置に形成することにより解決することができる。上向きに折曲して首部両側に起立させた一対の提げ手では、両方の握り部に手指を通して握り持つことができるので、首部片側にのみ形成した提げ手による場合よりも負担が軽く持ち易くなるからである。
【０００７】
しかし、ボトルの大型化により内容物による荷重が増すと、流動配向された接続部の曲げ強度は以外に大きく、必要以上に折曲しない限り接続部が簡単に破断するようなことはないが、基部については荷重のにより変形さらには破損し易くなる。これは引張力に対しても接続部が強いために、その引張り応力が基部の両端部に集中して、基部を中央から上方に折り曲げるようになり、これが基部の撓みとなって繰り返し行われると、板厚１．４mm程度のポリエチレンテレフタレートによる基部では耐え難くなるからである。従って１０リットルほどの大型ボトルでは何らかの手段をもって基部の変形及び破損を防止する必要があった。
【０００８】
この発明は上記課題の解決のために考えられたものであつて、その目的は、提げ手の構造を大幅に変更することなく、基部及び接続部の耐久強度を増し、これまで採用されにくかった１０リットルの大型ペットボトル等にも採用可能な新たな提げ手を有する二軸延伸ボトルを提供することにある。
【０００９】
【課題を解決するための手段】
上記目的によるこの発明は、プリフォームの射出成形時に、握り部と両側の腕部とを一体形成した一対のコ状形の提げ手を、首部側面の対称位置に形成した張出片による基部の両端に、それぞれの腕部を一体に接続形成して首部の高さよりも長く横長に対設するとともに腕部と基部の接続部を薄肉に形成し、その一対の提げ手をそのまま延伸ブロー成形による薄肉ボトルの首部両側の縦に折り曲げ自在な提げ手としたポリエステル樹脂等の固い熱可塑性樹脂による二軸延伸ボトルであって、上記基部を首部側面の環状リングから半径方向に幅広に張り出し形成して、基部下面の両側に首部側面とにわたる一対の縦板のブラケットを一体形成し、そのブラケットにより基部の変形及び破損を防止するとともに、提げ手が首部を越えて反対側に折曲位置するのを防止する突起によるストッパを、基部と上記腕部の接続部近傍との間に基部又は腕部のいずれか一方に斜めに突設して設けてなる、というものである。
【００１０】
また上記ストッパを、ストッパ先端が上記接続部の上部に位置するように、上記ブラケットよりも外側の基部上面に外向きに傾斜して突設してなるというものであり、また上記ストッパを、ストッパ先端が上記ブラケットよりも外側の基部上面と接するように、上記腕部の接続部近傍の上面に内向きに傾斜して突設してなる、というものである。
【００１１】
このような提げ手付き二軸延伸ボトルでは、首部両側の一対の提げ手を合わせてボトルを提げ持つことができ、場合によっては提げ手を片側ずつ二人で持って運ぶことができる。
また提げ持った際の基部に作用する引張力をブラケットが受けるので、基部が張出片によるものであっても、撓みによる変形を起こすことなく荷重に十分に耐え、１０リットルほどの大型ボトルに適用しても荷重により提げ手が接続部から破断したり、基部が破損して持ち運び中にボトルが落下するようなことがない。
【００１２】
さらにまた、提げ手の過剰な反対側への折り曲げを、基部又は提げ手の腕部の上面に突設したストッパにより阻止して、提げ手の折曲範囲に限界を持たせたので、握り部が首部を越える反対側まで過剰に折曲した場合に生じがちな薄肉の接続部の折り曲げ強度の劣化も防止でき、これにより接続部の寿命が延びて長期にわたり反復使用することが可能となる。
【００１３】
【発明の実施の形態】
図中１はポリエチレンテレフタレートによる丸胴のボトルで、首部２の下端部から胴部３及び底部４を延伸ブロー成形により薄肉に二軸延伸形成したものからなり、その首部２の外周のねじ５より下側の側面に一対の提げ手６，６が一体形成してある。
【００１４】
この提げ手６はプリフォームの射出成形時に首部２と共に一体成形され、そのままボトル１の提げ手６として用いられるものであって、内縁を幅広に形成して当て縁となした握り部６１と、その両側の腕部６２，６２とを細長の板状体により偏平に一体形成した平面形状がコ状形からなる。
【００１５】
上記腕部６２，６２は首部２の高さよりも長く、それぞれの両端部を首部２の前後側面の対称位置に突出形成した水平な張出片による基部７，７の両端と一体に接続形成され、それにより提げ手６は側方に長く首部２の両側に内向きに跨設されている。
【００１６】
上記基部７，７は、首部２の外周囲に突出形成したサポートリングよりも下側の環状リング８から半径方向に幅広に、かつ上記腕部６２と同一肉厚にて張り出し形成されており、その基部７と腕部６２の境界部位は薄肉に成形されて、腕部６２を首部側面に起立可能な所要幅（約５mm）の流動配向された折曲自在な接続部９となっている。この接続部９は、ボトル中心線Ｏ−Ｏから所定の間隔寸法Ｌをもって互いに並行するように形成される。
【００１７】
これにより首部両側の一対の上記提げ手６，６は、両側の基部７，７を中央に置いて、その両端から上向きに同じ高さに折曲でき、上記握り部６１，６１を互いに首部上の上記ボトル中心線Ｏ−Ｏにて合わせ、その両方に手を通して提げ手６，６を握り持ち、ボトル１を垂直に提げ持つことができるようになる。
【００１８】
また基部７，７は、それ自体が肉厚に限度がある張出片をもって形成されているため、一対の提げ手６，６によりボトル１を提げ持った際に、内容物の荷重が基部両端に集中し、そこに生じた引張力により基部７，７が撓んで変形したり、破損し易いことから、この防止策として各基部７，７の両側下面と首部側面とにわたり縦板による一対のブラケット７１，７１が一体形成してある。
【００１９】
このブラケット７１，７１は少なくとも基部肉厚と同一肉厚のもので、これにより提げ手側からの引張力に対向させて、応力集中による基部７，７の撓みを防止したので、提げ手６，６によるボトル１の提げ持ちを繰り返し行っても、その都度、変形を起こすことなく荷重に耐えるので、５リットル、更には１０リットルの大型のペットボトルに応用が可能となる。
【００２０】
また一対の提げ手６，６を握り持つことから、使用者の手指が掛かる荷重も２分されるので、握り部６１，６１が幅狭のものであつても、手指への負担が軽減されて、長く持つことができるようになる。この提げ手６，６によるボトル支持は二人でボトルの両側から提げ手６１，６１を片側づつ持って行うことができ、このような場合でもブラケット７１，７１が側方への引張力に抵抗するので、基部７，７の変形が防止されることになる。
【００２１】
このように基部７，７に対する荷重の影響はブラケット７１，７１により対処されるが、提げ手６及び基部７よりも薄肉の接続部９は、射出成形時の流動配向により曲げ強度が付与されたものであっても、その曲げには限界があって、接続部９が二つ折りになるような状態まで無理に折曲すると破断し易くなる。
【００２２】
そこで、このような過剰な折曲を防止するために、図７に示すように、基部７の上面両側に上記腕部６３を受け止めるストッパ７２，７２を突設している。このストッパ７２，７２の突設位置は、図示のように上記ブラケット７１よりも外側の板面上に外向きに、かつ先端が接続部９の端縁の上部に位置する程度に傾斜させて突設するのが好ましい。
【００２３】
図８は上記腕部６３の上面にストッパ６３を刺のように突設した場合で、その突設位置は接続部９に隣接した端面上で、基部上の上記ストッパ７２とは反対に内向きに傾斜形成して、その先端が折り曲によりブラケット７１よりも外側の基部７の上面に当接するようにしてある。
【００２４】
上記ストッパ７２，６３の突設により接続部９における折曲角度は、提げ手６を首部両側に起立させて、両方の提げ手６，６の握り部６１，６１を合わせて握り持つ範囲に制限され、それ以上の折曲は不能となることから、過剰な折曲による接続部９，９の曲げ強度の劣化による破断が防止されて、反復使用にも十分に耐えるようになる。
【図面の簡単な説明】
【図１】  一対の提げ手を有する二軸延伸ボトルの正面図である。
【図２】  同じく平面図である。
【図３】  図２のＸ−Ｘ線における縦断面図である。
【図４】  一対の提げ手を接続部から折曲して首部両側に起立させた状態を示すボトル上部の正面図である。
【図５】  この発明に係わる一対の提げ手とストッパを有する二軸延伸ボトルの上部正面図である。
【図６】  同上の提げ手を接続部から折曲して首部両側に起立させた状態を示すボトル上部の正面図である。
【図７】  同上の要部拡大縦断面図である。
【図８】  同じくストッパを提げ手側に設けた実施形態の要部拡大縦断面図である。
【符号の説明】
１      ボトル
２      首部
３      胴部
４      底部
５      ねじ
６      提げ手
６１    握り部
６２    腕部
６３    ストッパ
７      基部
７１    ブラケット
７２    ストッパ
８      環状リング
９      接続部
【図１】
0004431228.tif 000002
【図２】
0004431228.tif 000003
【図３】
0004431228.tif 000004
【図４】
0004431228.tif 000005
【図５】
0004431228.tif 000006
【図６】
0004431228.tif 000007
【図７】
0004431228.tif 000008
【図８】
0004431228.tif 000009